(57)【特許請求の範囲】
【請求項１】
多数枚のカードを積載収容するカード収容部と、このカード収容部内に積載収容された多数枚のカードのうち、その最下面にあるカードを一枚ずつ押し出すカード分離搬送手段および該カード分離搬送手段により一枚ずつ分離され押し出されたカードをカード払出し口へ搬送するカード搬送手段を有するカード払出し部とを具えたカード払出し装置において、前記カード搬送手段は、モータ等の駆動手段を介し回転駆動される駆動軸と、該駆動軸に嵌挿自在かつ一方向に回転可能なワンウェークラッチを介し前記駆動軸に支承される駆動ローラと、前記駆動軸に対し所定の間隔を設けて配設された従動軸と、該従動軸に嵌挿自在で、しかも回動自在に支承された従動ローラと、前記従動軸を前記駆動軸側に常時付勢し、前記従動軸に支承された前記従動ローラを前記駆動ローラ周面に圧接させる付勢手段と、前記駆動軸に着脱自在に嵌装可能であり、前記駆動軸に支承された前記駆動ローラの配置位置の変更を行なうスペーサを具備し、前記スペーサの前記駆動軸への嵌挿位置を変更することによって前記駆動ローラの配設位置を変更可能としたことを特徴とするカード払出し装置。
【発明の詳細な説明】
【０００１】
【発明の属する技術分野】
この発明はテレホンカード、あるいはオレンジカード等の比較的板厚が薄いカード（プリペイドカードあるいはＩＣカード等を含む）を払い出すカード払出し装置に関し、特にこのカード払出し装置内からカードを搬出するカード搬送手段の改良に関する。
【０００２】
【従来の技術】
従来より、テレホンカード等を販売するカード自動販売機の機器筐体内には、投入金額に応じたカードを払い出すカード払出し装置が設置されている。
【０００３】
このカード払出し装置は大別して、多数枚のカードを積載収容するカード収容部と、このカード収容部内に積載収容された多数枚のカードのうち、その最下面にあるカードを一枚ずつ分離し押し出すカード払出部とから構成されている。
【０００４】
このうち、カード払出部内には、カード収容部内に積載収容されたカードのうち、その最下面に位置するカードを一枚ずつ押し出すカード分離搬送手段と、このカード分離搬送手段により一枚ずつ分離され押し出されたカードをカード払出し口へ搬送するカード搬送手段とから構成されている。
【０００５】
このうち従来のカード搬送手段は、モータ等の駆動手段により回転駆動される駆動軸の所定位置に固定設置された駆動ローラと、この駆動ローラの周面に圧接する従動ローラとから構成され、カード分離搬送手段から押し出されたカードを駆動ローラと従動ローラとの間に把持して、カード払出し部のカード払出し口へ搬送するようにしていた。
【０００６】
一方、上述したカード払出し装置により払い出されるカードのうち、特にＩＣチップを搭載したいわゆるＩＣカードでは、そのＩＣチップの搭載位置がカードの種類によっては異なるものがある。
【０００７】
図１１はカード払出し装置により払い出されるＩＣカード１を示す平面図で、特にこのＩＣカード１はＩＣチップ２をカード１の長手方向中央位置に搭載したものを示し、また図１２はＩＣチップ２をカード長手方向中央位置から所定距離ずれた位置に搭載したＩＣカード３を示している。
【０００８】
一方、上述したＩＣカード１、３を払い出すカード払出し装置では、カード搬送手段の駆動ローラと従動ローラとの間にＩＣチップ２を直接把持するとその押圧力によりＩＣチップ２に損傷を与える虞があり、このためＩＣチップ２が中央位置に搭載されたカード１を払い出すカード払出し装置では、駆動ローラと従動ローラとをカード搬送路の両側に配置し、これによりＩＣチップ２を避けた位置でＩＣカード１を把持して搬送させるようにしていた。
【０００９】
またＩＣチップ２がカードの中央位置からずれた位置に搭載されたＩＣカード３を払い出すカード払出し装置では、駆動ローラと従動ローラとをカード搬送路中央に配置し、これによりＩＣカード３を搬送する際に駆動ローラと従動ローラ間にＩＣカード３のＩＣチップ２を把持しないようにしていた。
【００１０】
【発明が解決しようとする課題】
ところで上述した従来のカード払出し装置のカード搬送手段によると、ＩＣカード１、３を払い出す際に、カードに搭載されたＩＣチップ２の搭載位置に応じて、駆動ローラと従動ローラの配設位置がそれぞれ異なる別機種のカード払出し装置をそれぞれ製造しなければならず、そのためカード払出し機の製造コストが上昇する難点がある。
【００１１】
この発明は、上述した事情に鑑み、極僅かな部品交換で、しかも簡単に同一装置内で駆動ローラと従動ローラの配設位置を変更することができるようにしたカード払出し装置を提供することを目的とする。
【００１２】
【課題を解決するための手段】
上述した課題を解決するため、この発明では、多数枚のカードを積載収容するカード収容部と、このカード収容部内に積載収容された多数枚のカードのうち、その最下面にあるカードを一枚ずつ押し出すカード分離搬送手段および該カード分離搬送手段により一枚ずつ分離され押し出されたカードをカード払出し口へ搬送するカード搬送手段を有するカード払出し部とを具えたカード払出し装置において、前記カード搬送手段は、モータ等の駆動手段を介し回転駆動される駆動軸と、該駆動軸に嵌挿自在かつ一方向に回転可能なワンウェークラッチを介し前記駆動軸に支承される駆動ローラと、前記駆動軸に対し所定の間隔を設けて配設された従動軸と、該従動軸に嵌挿自在で、しかも回動自在に支承された従動ローラと、前記従動軸を前記駆動軸側に常時付勢し、前記従動軸に支承された前記従動ローラを前記駆動ローラ周面に圧接させる付勢手段と 、前記駆動軸に着脱自在に嵌装可能であり、前記駆動軸に支承された前記駆動ローラの配置位置の変更を行なうスペーサを具備し、前記スペーサの前記駆動軸への嵌挿位置を変更することによって前記駆動ローラの配設位置を変更可能としている。
【００１３】
【発明の実施の形態】
以下、この発明に係わるカード払出し装置の実施例を詳述する。
【００１４】
図１はこの発明に係わるカード払出し装置のカード払出し部１０を示す正面断面図で、特にカード払出し口に連通するカード搬送路１１に配設されたカード搬送手段１２を示している。
【００１５】
このカード払出し部１０は断面矩形状の筐体２０と、この筐体２０の上方を閉塞する上部シュート２１とから構成され、この筐体２０の上面に形成された凹部２０ａと、上部シュート２１の下面に形成された凸部２１ａとにより幅Ｌで、高さＨのカード搬送路１１が形成されている。
【００１６】
この、カード搬送路１１に配設されたカード搬送手段１２は、筐体２０内部に配設されたモータ３０、およびこのモータ３０の駆動力を伝達する複数の歯車からなる歯車伝動手段３１等の駆動手段３２により回転駆動される駆動軸４０から構成されている。
【００１７】
なお、この歯車伝動手段３１の最終段はウォームギャ３３により構成されている。
【００１８】
一方、上述した駆動手段３２により回転駆動される駆動軸４０は、前記筐体２０の中央部に形成された凹部２２ｂの両端間に差し渡されて配設されている。
【００１９】
この駆動軸４０はその右端４０ａに大径部４０ｂが形成され、その周面には前記歯車伝動手段３１のウォームギャ３３に歯合するウォームホイール４０ｃが形成されている。なお、この大径部４０ｂは筐体２０に形成された一方の軸受部２０ｂに回動自在に支承され、またこの駆動軸４０の中央には、当該駆動軸４０に嵌挿自在で、しかも一方向に回転可能な一つの駆動ローラ５０が着脱自在に装着されている。
【００２０】
この駆動ローラ５０は図１のＡＡ断面で示す図２のように、駆動軸４０に対し嵌挿自在（言い換えれば着脱自在）で、しかも一方向にのみ回転可能なワンウェークラッチ５１と、このワンウェークラッチ５１の周面に嵌着したプーリ５２と、このプーリ５２の周面に嵌着したゴム等の弾性体で形成された環状体５３とから構成されている。
【００２１】
なお、上述したワンウェークラッチ５１は図２で示すように、図示せぬＩＣカードをカード払出し口６０側へ搬送すべく、駆動軸４０が反時計方向へ回転した際にはそれに従動して駆動ローラ５０を反時計方向へ回転し、また駆動軸４０が時計方向へ回転した際には、その回転力が駆動ローラ５０へ伝達されないように機能するもので、このようなワンウェークラッチ５１によると、例えば駆動軸４０がその回転を停止した場合に、駆動ローラ４０を軸４０に対し反時計方向へ回転させると、その回転が許容されることとなる。
【００２２】
従って、図示せぬＩＣカードをカード払出し口６０から所定長突出させた状態で駆動軸４０が停止し、その状態からオペレータがＩＣカードをカード払出し口６０から引き抜くと、そのカードに従動して駆動ローラ５０が反時計方向へ回転し、これにより当該カードは簡単にカード払出し口６０から引き抜くことができることとなる。
【００２３】
一方、図１で示すように、上述した駆動軸４０の他端４０ｄには、スぺーサを兼ねた駆動軸４０の軸受部５４が嵌挿し、その一端５４ａは筐体２０の他方の軸受部２０ｃに支承されている。
【００２４】
なお、上述した構成部品をさらに詳細に説明すると、特に駆動軸４０は図３で示すように、ウォームホイール４０ｃが形成された大径部４０ｂと、駆動ローラ５０の位置決めを図るスぺーサの機能を果たす中径部４０ｅと、図４で示す駆動ローラ５０と図５で示すスぺーサを兼ねた軸受部５４とがそれぞれ着脱自在に嵌挿する小径部４０ｆとから形成されている。
【００２５】
一方、図１に示すように、上述した駆動ローラ５０の周面に圧接する一対の従動ローラ７０は、駆動軸４０から所定の間隔を隔てて上方に配設された従動軸７１に嵌挿自在かつ回動自在に支承されている。なお、この従動軸７１は、上部シュート２１に形成された断面コの字形状の一対の軸受部２１ｂに支承されている。なお、この軸受部２１ｂは、その側方で従動ローラ７０の位置決めも同時に行っており、さらにその隣接する位置の上部シュート下面２１ａの両端部には、さらに別の位置に従動ローラ７０を位置決めするための孔２１ｃがそれぞれ形成されている。
【００２６】
また、この従動軸７１は、付勢手段であるコイルバネ８０の一対の自由端８０ａであって、断面コの字形状の一対の軸受部２１ｂ内に嵌挿して位置決められた一対の自由端８０ａにより常時下方に付勢され、これにより前記一対の従動ローラ７０は駆動ローラ５０の周面側に常時付勢されている。なお、上述したコイルバネ８０は前記従動軸７１から所定の間隔を隔てて上方に配設された軸８１に嵌挿し、その中央に形成された自由端部８０ｂは図２で示すように、上部シュート２１内に配設された押え板８２によりその移動が規制されている。
【００２７】
したがって、図１に示す上述したカード搬送手段１２によると、カード搬送路１１の中央に、一つの駆動ローラ５０とその周面に圧接する一対の従動ローラ７０によりＩＣカードを把持してカード払出し口６０へ排出するようにしたから、図１２で示すＩＣカード３のように、ＩＣチップ２がカードの中央からずれた位置に配設されたものを搬送する場合は、駆動ローラ５０と従動ローラ７０がＩＣチップ２を把持することはなく、このためＩＣカードの払出し時にＩＣチップに対する損傷を可及的に排除することができる。
【００２８】
一方、図１１に示すように、ＩＣチップ２がカードの中央に配設されたＩＣカード１を搬送する場合は、図１と同一部分を同一符号で示す図６のように、カード搬送手段１２の各構成要素を同一装置内で配置交換する。
【００２９】
まず、この図６に示すカード搬送手段１２で使用する駆動軸４０は、図７で示すように、中径部４０ｅ（図３）を無くし、すべて小径部４０ｆにより構成し、そこに図８で示す一対の駆動ローラ５０を図９に示す円筒形の筒体からなる所定長のスぺーサ９０を中間に配置して嵌挿する、すると図６で示すように、カード搬送路１１の両サイドに所定の間隔を設けて一対の駆動ローラ５０が配設されることとなる。
【００３０】
なお、駆動軸４０の左端部には軸受を兼ねた図１０で示す別のスぺーサ９１を嵌挿して配設する。
【００３１】
一方、図６で示すように、一対の従動ローラ７０は、その従動軸７１の中央からそれぞれ分離し、その後一対の駆動ローラ５０に対応するカード搬送路１１の両サイドに配設する。これにより一対の従動ローラ７０は対応する駆動ローラ５０の周面に圧接することとなる。
【００３２】
この図６に示すカード搬送手段１２によると、カード搬送路１２の両サイドに駆動ローラ５０と従動ローラ７０とが位置するため、図１１に示すＩＣチップ２がカードの中央に配設されたＩＣカード１を搬送する場合は、そのＩＣチップ２が駆動ローラ５０と従動ローラ７０との間に把持されることはなく、このためＩＣカードに搭載されたＩＣチップに対する損傷を可及的に排除することができることとなる。
【００３３】
なお、上記実施例において、図３に示すように駆動軸４０に中径部４０ｅを形成するようにしたが、この中径部４０ｅは必ずしも必要ではなく、この中径部４０ｅの部分を小径部４０ｆと同一径に形成し、図１のように使用する場合は、削除した中径部４０ｅに相当する部分に別のスぺーサを嵌挿させるようにしても良く、この場合は図７で示したのと同一の駆動軸４０が使用可能である。
【００３４】
したがって、上述したカード搬送手段１２によると、少ない部品交換と、駆動軸４０に対する駆動ローラ５０の配設位置を変更させ、また従動軸７１に対する従動ローラ７０の配設位置を変更させる簡単な作業で、同一装置において駆動ローラと従動ローラのそれぞれの配設位置を変更させることが可能である。
【００３５】
なお、実施例では図４に示す駆動ローラ５０の幅と、図８で示す駆動ローラ５０の幅は若干異なるが、両者の構造は実質的に同一であり、図９に示すスぺーサ９０の長さを変えれば、同一幅の駆動ローラ５０を使用しても良いことは言うまでもない。
【００３６】
【発明の効果】
以上説明したように、この発明のカード払い出し装置では、ワンウェークラッチを介し駆動軸に着脱自在に配設される駆動ローラと、従動軸に配設されると従動ローラの各配設位置を少ない部品を交換することにより簡単に配置転換することができ、このため同一の装置により、ＩＣチップの搭載位置が異なった各種形態のＩＣカードに損傷を与えること無く安定して払い出すことが可能で、このためＩＣチップの搭載位置が異なった各種のＩＣカード毎に格別のカード払出し装置を製造する場合に比較してその製造コストが安く、しかもスぺーサの長さ等を変更すればＩＣチップの搭載位置が異なる各種ＩＣカードに対応したカード払出し装置を迅速かつ安価に提供することができる。
【図面の簡単な説明】
【図１】図１は、この発明に係わるカード搬送手段を適用したカード払出し装置の要部断面図。
【図２】図２は、図１のＡＡ断面図。
【図３】図３は、駆動軸の詳細図。
【図４】図４は、駆動ローラの詳細図。
【図５】図５は、スぺーサの詳細図。
【図６】図６は駆動ローラと従動ローラの配置位置を変更した本願発明に係わるカード払出し装置の要部断面図。
【図７】図７は駆動軸の詳細図。
【図８】図８は駆動ローラの詳細図。
【図９】図９はスぺーサの詳細図。
【図１０】図１０はスぺーサの詳細図。
【図１１】図１１はＩＣチップを中央に配設したＩＣカードの平面図
【図１２】図１２はＩＣチップを中央から外れた位置に搭載したＩＣカードの平面図である。
【符号の説明】
１０…カード払出し部
１２…カード搬送手段
３０…モータ
３２…駆動手段
４０…駆動軸
５０…駆動ローラ
５１…ワンウェークラッチ
５４、９０、９１…スぺーサ
６０…カード払出し口
７０…従動ローラ
７１…従動軸
８０…付勢手段（コイルバネ）
【図１】
0003697354.tif 000002
【図２】
0003697354.tif 000003
【図３】
0003697354.tif 000004
【図４】
0003697354.tif 000005
【図５】
0003697354.tif 000006
【図６】
0003697354.tif 000007
【図７】
0003697354.tif 000008
【図８】
0003697354.tif 000009
【図９】
0003697354.tif 000010
【図１０】
0003697354.tif 000011
【図１１】
0003697354.tif 000012
【図１２】
0003697354.tif 000013